【手続補正書】
【提出日】平成24年3月9日(2012.3.9)
【手続補正１】
【補正対象書類名】明細書
【補正対象項目名】発明の名称
【補正方法】変更
【補正の内容】
【発明の名称】ＡＣを調整されたＤＣ出力電流に変換するための環境にやさしい電力供給装置
【手続補正２】
【補正対象書類名】明細書
【補正対象項目名】０００５
【補正方法】変更
【補正の内容】
【０００５】
本発明は、交流電力源を所望に調整された直流出力電流に変換するための新規な電力供給装置を提供することを目的とする。前記電力供給装置は、直列の２つの電源ユニットを利用し、第１の電源ユニットはＡＣ／ＤＣコンバータであり、交流源の入力を受けまた穏やかな又は均一な弱いリップル特性を有する中間の直流出力電圧を提供し、この出力は第２の電源ユニットに入力され、該第２の電源ユニットは、低リップルの良好に調整された所望の出力を提供するＤＣ／ＤＣコンバータとして作用する。用語「リップル」は、交流源のクロスオーバ点から生じる出力での電圧降下を言うことが本願にわたって理解されており、またそのように請求項に記載されており、そこでは、入力電圧は時間内に零電圧位置を横切り、電流は、したがって、一般的に蓄積コンデンサからのように、この周期の間に代替源から供給される。前記ダイオード整流ブリッジ又は他の整流アセンブリは、その出力に関連した蓄積／平滑コンデンサをまったく使わないが、効果を上げているという点で、このタイプの従来技術の電力供給装置のそれらとは異なる。コンデンサが前記整流出力で使われるとしても、それがそのような従来技術の電力供給装置のそれよりかなり少ない値を有し、平滑機能と言うよりも、全体的には、入力ＲＦＩ（無線周波数干渉）フィルタの一部として機能する。しかし、整流器アセンブリ出力の蓄積／平滑コンデンサが本質的に欠如していれば、結果として大きなリップルを有する整流出力電流を生じる。結果として生じるこの大きな出力リップルは、前記した２つの直列の電源ユニットの使用によって本発明の電力供給装置では克服され、この整流器出力リップルを減少させるために要求されるいかなる平滑機構も、前記第１の電源ユニットの出力でのコンデンサの使用によって達成される。その際、回路中で蓄積／平滑機能を果たすのは、前記第１の電源ユニットの出力のコンデンサである。この平滑機能は、これが無ければ交流電圧が定格出力電圧を提供することを要求されている値よりも低下するとき、負荷に電流を供給し続けるために、ＡＣ／ＤＣ変換電力供給装置に必須である。前記電源ユニットは、良好な効率を有しかつ容易に制御可能のスイッチモード電源装置とすることができるが、本願で説明される回路構成は一般的にいかなる種類の電源ユニット又は電圧コンバータの使用にも適用可能であることは理解できるであろう。コンバータという用語は、ＡＣ／ＤＣ又はＤＣ／ＤＣにかかわらず、総称的に電圧を変換して電力を供給する装置を意味するために、本願で用いられており、またそのように請求項に記載されている。
【手続補正３】
【補正対象書類名】明細書
【補正対象項目名】００８４
【補正方法】変更
【補正の内容】
【００８４】
この実施例は、以下の方法で動作する。先に記載した実施例と同様に、出力コンデンサ３５の電圧は制御構成要素５２によって監視される。制御構成要素５２が、前記出力コンデンサの電圧が予め決められた量にまで低下し、またコンデンサ３５に電流を流す必要があることを検出する瞬間、該コンデンサからの漏れを満たすか、前記出力に接続していた負荷に電力の供給を開始するかのどちらかのために、前記第１のコンバータＰＷＭ１はこの電流を流すために目を覚まされなければならない。制御構成要素５２は、最初に、整流ダイオード５７に接続されたＦＥＴ１０３のゲートにパルスを供給することによって、これを行う。前記ＦＥＴは、瞬間的に閉鎖され、前記変圧器の二次巻線１０４をコンデンサ３５に接続し、二次巻線に電流パルスを提供する。これは、等価電流パルスを前記変圧器の一次の付加制御巻線１０１に引き起こす。このパルスは、ＰＷＭ１の制御回路５５の起動入力（START）に形成され、また適用され、該制御回路は、ＰＷＭ１をそのスリープモードから起こすために、この信号を使う。追加の論理回路は、図１０には示されていないが、ＰＷＭ１の前記制御回路の待機モードにおいても、この起動信号を検出することを可能にする必要がある。ＰＷＭ１制御回路５５が喚起されると、該制御回路は、ＭＯＳＦＥＴ１０６をターンオンすべく出力ＳＷからの制御パルスを出力し、コンデンサ３５を補給すべく主一次巻線１０２を介してバースト電流を流すことができる。規則的な通常の出力動作の間中、ＭＯＳＦＥＴ１０６は、制御回路５５への電流感知入力ＣＳを使う主一次巻線１０２を通る電流を制御するために使われ、該制御回路は抵抗器Ｒを流れる一次電流を監視する。さらに、規則的な通常の出力動作の間中、前記フィードバック入力ＦＢは、制御機能で使用するために、コンデンサ３５の電圧をサンプリングするように使われ得る。
【手続補正４】
【補正対象書類名】特許請求の範囲
【補正対象項目名】全文
【補正方法】変更
【補正の内容】
【特許請求の範囲】
【請求項１】
直流電流を受ける入力端子と、
前記入力する直流電流から高周波交流電流を生成するスイッチング回路と、
一次巻線で前記高周波交流電流を受け、所望の電圧レベルで前記高周波交流電流を出力する二次巻線を有する高周波変圧器と、
前記変圧された前記高周波交流電流を直流出力電流に整流する整流ユニットと、
前記二次巻線に磁気的に結合された前記高周波変圧器の追加の一次巻線とを含み、
前記二次巻線に導入された第１の信号は、前記二次巻線から電気的に分離され前記スイッチモード電源の制御機能のために使用される第２の信号を前記追加の一次巻線に誘導する、スイッチモード電力供給装置。
【請求項２】
前記直流入力電流を提供するために、交流主電源に接続するための整流器アセンブリをさらに含む、請求項１に記載の電力供給装置。
【請求項３】
前記直流出力電流は前記交流主電源から分離されている、請求項２に記載の電力供給装置。
【請求項４】
前記直流出力電流は、オプトカプラの必要性無しに前記交流主電源から分離されている、請求項２に記載の電力供給装置。
【請求項５】
前記二次巻線に導入される前記第１の信号は、前記直流出力電流が出力される電圧レベルから得られ、前記電圧レベルが所定値を下回ったことを示す、請求項１に記載の電力供給装置。
【請求項６】
前記制御機能の少なくとも１つは、スリープモードから前記スイッチモード電力供給装置を喚起することである、請求項５に記載の電力供給装置。
【請求項７】
前記二次巻線は前記整流ユニットと平行に接続された電子スイッチを含み、該電子スイッチは、スイッチオン時に前記整流ユニットよりも小さな電圧降下を生じ、前記電子スイッチは、直流出力電流が出力されている時の電圧レベルが所定値よりも低下するときスイッチオンし、前記電子スイッチは、前記高周波出力電流が同期整流を受けることを可能にする、請求項１に記載の電力供給装置。
【請求項８】
前記高周波出力電流の前記同期整流は前記スイッチモード電力供給装置の効率を大きく増大する、請求項７に記載の電力供給装置。
【請求項９】
前記電子スイッチは電界効果型トランジスタである、請求項７又は８に記載の電力供給装置。
【手続補正５】
【補正対象書類名】図面
【補正対象項目名】図１０
【補正方法】変更
【補正の内容】
【図１０】
2011514137.tif 000001